(57)【要約】  本発明は、複数の蓄電手段６が電気エネルギーを貯蔵するために収容されている１つのセルハウジング２と、このセルハウジング２の外側に配置された少なくとも１つの端子７を介してこれらの蓄電手段６によって貯蔵された電気エネルギーがこれらの蓄電手段６から提供可能である端子７と、セルハウジング２内に配置された、エネルギー貯蔵装置用の蓄電セル１を加熱するための少なくとも１つの電気加熱要素９とを有する蓄電セル１に関する。この場合、セルハウジング２が、結合領域Ｖを有し、この結合領域Ｖ内では、加熱要素９が、セルハウジング２内でこのセルハウジング２に電気接続されていて、少なくとも１つの結合装置１２が設けられていて、結合装置１２は、第１材料から形成され且つセルハウジング２の外側でこのセルハウジング２に電気接続されている１つの第１結合部１５と、この第１結合部１５に電気接続されていて且つ第１材料とは異なる第２材料から形成された第２結合部１６とを有する少なくとも１つの結合要素１４と、第２結合部１６に電気接続されている少なくとも１つの切替要素１７とを備える。
2021528828.tif 000002
【特許請求の範囲】
【請求項１】
複数の蓄電手段（６）が電気エネルギーを貯蔵するために収容されている１つのセルハウジング（２）と、このセルハウジング（２）の外側に配置された少なくとも１つの端子（７）を介してこれらの蓄電手段（６）によって貯蔵された電気エネルギーがこれらの蓄電手段（６）から提供可能である当該端子（７）と、前記セルハウジング（２）内に配置された、蓄電セル（１）を加熱するための少なくとも１つの電気加熱要素（９）とを有する自動車のエネルギー貯蔵装置用の蓄電セル（１）において、
−前記セルハウジング（２）が、結合領域（Ｖ）を有し、この結合領域（Ｖ）内では、前記加熱要素（９）が、前記セルハウジング（２）内でこのセルハウジング（２）に電気接続されていて、
−少なくとも１つの結合装置（１２）が設けられていて、当該結合装置（１２）は、
・第１材料から形成され且つ前記セルハウジング（２）の外側でこのセルハウジング（２）に電気接続されている１つの第１結合部（１５）と、この第１結合部（１５）に電気接続されていて且つ前記第１材料とは異なる第２材料から形成された第２結合部（１６）とを有する少なくとも１つの結合要素（１４）と、
・前記第２結合部（１６）に電気接続されている少なくとも１つの切替要素（１７）とを備え、前記第２結合部（１６）が、当該切替要素（１７）によって前記端子（７）に電気接続可能であり、前記端子（７）から分離可能であることを特徴とする蓄電セル（１）。
【請求項２】
前記切替要素（１７）は、第１方向（２２）において前記セルハウジング（２）に面しない前記第１結合部（１５）の側面（Ｓ）上に配置されていて、
前記第１結合部（１５）の少なくとも１つの部分領域（Ｔ）が、前記第１方向（２２）に対して傾斜して又は直角に延在する第２方向（２４，２５）において前記切替要素（１７）よりも大きく、
前記第１結合部（１５）が、前記部分領域（Ｔ）内で前記セルハウジング（２）に機械的に且つ電気的に結合されていることを特徴とする請求項１に記載の蓄電セル（１）。
【請求項３】
前記第１結合部（１５）は、前記部分領域（Ｔ）内で前記セルハウジング（２）に溶接されていて、これにより前記セルハウジングに電気的に且つ機械的に結合されていることを特徴とする請求項２に記載の蓄電セル（１）。
【請求項４】
前記結合部（１５）は、前記側面（Ｓ）から前記セルハウジング（２）に溶接されていることを特徴とする請求項３に記載の蓄電セル（１）。
【請求項５】
前記結合装置（１２）は、第２結合要素（１８）を有し、この第２結合要素（１８）は、第３材料から形成され且つ前記切替要素（１７）に電気接続されている１つの第３結合部（１９）と、この第３結合部（１９）に電気接続されていて且つ前記第３材料とは異なる第４材料から形成され、前記セルハウジング（２）の外側で前記端子（７）に電気接続されている第４結合部（２０）とを有することを特徴とする請求項１〜４のいずれか１項に記載の蓄電セル（１）。
【請求項６】
前記第１材料は、前記第４材料に相当することを特徴とする請求項５に記載の蓄電セル（１）。
【請求項７】
前記第２材料は、前記第３材料に相当することを特徴とする請求項５又は６に記載の蓄電セル（１）。
【請求項８】
前記切替要素（１７）は、プリント回路基板（２８）を有し、このプリント回路基板（２８）に特に電気接続されている前記切替要素（１７）の少なくとも１つのスイッチ（２９）が、このプリント回路基板（２８）上に配置されていて、
前記プリント回路基板（２８）は、前記第２結合部（１６）に電気接続されていることを特徴とする請求項１〜７のいずれか１項に記載の蓄電セル（１）。
【請求項９】
前記プリント回路基板（２８）は、前記第３結合部（１９）に電気接続されていることを特徴とする請求項５〜７のいずれか１項を引用する請求項８に記載の蓄電セル（１）。
【請求項１０】
弾性変形可能で且つ前記プリント回路基板（２８）に電気接続されている少なくとも１つの導電体（３２）が設けられていて、このプリント回路基板（２８）は、当該導電体（３２）を介して少なくとも１つの別の部品に電気接続可能であり、
前記プリント回路基板（２８）は、前記導電体（３２）よりも曲がりにくいことを特徴とする請求項８又は９に記載の蓄電セル（１）。
【請求項１１】
請求項１〜１０のいずれか１項に記載の少なくとも１つの蓄電セル（１）を有する自動車用のエネルギー貯蔵装置。
【発明の詳細な説明】
【技術分野】
【０００１】
本発明は、請求項１の上位概念による自動車のエネルギー貯蔵装置用に電気エネルギーを貯蔵するための蓄電セルに関する。さらに、本発明は、電気エネルギーを貯蔵するために構成された自動車用のエネルギー貯蔵装置に関する。
【背景技術】
【０００２】
独国特許出願公開第１０２０１３２２１７４７号明細書は、特にリチウムイオンバッテリーセルとして構成された、陰極とセパレータと陽極とを有するバッテリーセルを開示する。当該バッテリーセルは、コイル状に存在し、セルコイルフィルム（Ｚｅｌｌｗｉｃｋｅｌｆｏｌｉｅ）によって包囲されている。この場合、この場合、当該セルコイルフィルムが組み込まれた加熱部を有することが提唱されている。
【０００３】
さらに、ハウジングと加熱装置とを有するバッテリーセルが、独国特許出願公開第１０２０１３０２１２５８号明細書から公知である。この場合、当該加熱装置が、少なくとも１つの扁平な支持要素内及び／又はその上に配置された少なくとも１つの電気加熱要素を有する当該支持要素を備えることが提唱されている。さらに、当該少なくとも１つの扁平な支持要素は、当該ハウジングの少なくとも１つの内壁上に配置されている。さらに、国際公開第２０１７／１９４３７３号パンフレットは、加熱可能なバッテリーを開示する。
【先行技術文献】
【特許文献】
【０００４】
【特許文献１】独国特許出願公開第１０２０１３２２１７４７号明細書
【特許文献２】独国特許出願公開第１０２０１３０２１２５８号明細書
【特許文献３】国際公開第２０１７／１９４３７３号パンフレット
【発明の概要】
【発明が解決しようとする課題】
【０００５】
本発明の課題は、蓄電セル及びエネルギー貯蔵装置の必要スペースが、非常に小さいフレーム内に確保され得るように、冒頭で述べた種類の蓄電セル及びエネルギー貯蔵装置をさらに改良することにある。
【課題を解決するための手段】
【０００６】
本発明によれば、この課題は、請求項１に記載の特徴を有する蓄電セル及び請求項１１に記載の特徴を有するエネルギー貯蔵装置によって解決される。本発明の好適な構成は、従属請求項に記載されている。
【０００７】
本発明の第１の観点は、自動車、好ましくは乗用自動車として構成された特に自動車のエネルギー貯蔵用の蓄電セルに関する。当該蓄電セルは、例えばバッテリーセルとして構成されている。その結果、当該エネルギー貯蔵装置は、例えばバッテリーセルとして構成され得る。特に、セル又はシングルセルとも呼ばれる蓄電セルは、リチウムイオンセルとして構成され得る。その結果、当該エネルギー貯蔵装置は、例えばリチウムイオンバッテリーとして構成され得る。特に、当該エネルギー貯蔵装置は、高電圧コンポーネントとして又は高電圧蓄電池として構成されている。この場合、当該エネルギー貯蔵装置は、高電圧バッテリー（ＨＶバッテリー）として構成され得る。当該エネルギー貯蔵装置が、高電圧蓄電池として構成されている場合、当該エネルギー貯蔵装置が提供するか又は有する電圧、特に駆動電圧は、５０ボルトよりも大きい。例えば非常に大きい電力を、自動車の電気駆動のために実現できるようにするため、電圧、特に駆動電圧は、特に数百ボルトである。特に、完成された状態にあるエネルギー貯蔵装置は、互いに電気接続されている複数の蓄電セルを有する。この場合、それぞれの蓄電セルに対して先行する実施形態及び後続する実施形態が、別の蓄電セルに適用されてもよく、別の蓄電セルが、それぞれの蓄電セルに対して先行する構成及び後続する実施形態に適用されてもよい。
【０００８】
蓄電セルは、電気エネルギー又は電力を貯蔵するためにセルハウジング及び蓄電手段を有する。当該蓄電手段は、当該セルハウジング内に収容されている。したがって、電気エネルギーが、当該蓄電セルによって又は当該蓄電セル内に貯蔵され得る。その結果、電気エネルギーが、エネルギー貯蔵装置によって又はエネルギー貯蔵装置内に貯蔵され得る。当該蓄電手段は、例えば、異なる極性の少なくとも２つの電極と、例えば、例えば液体の電解質とを有する。これらの電極は、少なくとも部分的に、特に少なくともほぼ全体的に又は完全に当該電解質内に浸漬又は収容されている。これらの電極のうちの第１電極は、例えば陽極である。この場合、第２電極は、例えば陰極である。当該蓄電手段は、例えばこれらの電極間に配置されているセパレータをさらに有する。これらの電極は、当該セパレータによって互いに電気絶縁されている。これらの電極は、例えば電極積層体を形成し得るか、又は、これらの電極は、巻き付けられて、ゼリーロールとも呼ばれる電極コイル（Ｅｌｅｋｔｒｏｄｅｎｗｉｃｋｅｌ）に形成される。この場合、当該セパレータは、これらの電極間に配置され得る。その結果、当該セパレータは、例えばこれらの電極と一緒に巻付けられて、当該電極コイルに形成されている。
【０００９】
蓄電セルは、セルハウジングの外側に配置され、例えば当該セルハウジングに対して電気絶縁されているターミナル（Ｔｅｒｍｉｎａｌ）とも呼ばれる端子を有する。当該蓄電手段は、当該端子を介して当該蓄電手段によって貯蔵された電気エネルギーを提供できる。換言すれば、当該蓄電手段によって貯蔵された電気エネルギーが、例えば当該端子を介して取り出され得る、すなわち当該蓄電手段から放電され得る。例えば、当該端子は、複数の電極のうちの１つの電極に接続されている。この場合、特に当該電極は、当該セルハウジング内で当該１つの電極に電気接続されている。
【００１０】
さらに、蓄電セルは、この蓄電セルを加熱又は暖房するために当該セルハウジング内に配置された少なくとも１つの電気加熱要素を有する。換言すれば、当該加熱要素は、電気的に稼働可能である。その結果、当該加熱要素を使用することで、当該蓄電セルは、電気エネルギーを利用して暖房され得る。さらに、電気エネルギーが、当該端子を介して蓄電手段に供給され得ることが考えられる。その結果、当該端子を介して当該蓄電手段に供給される電気エネルギーが、当該蓄電手段内に蓄電可能である。当該電気加熱要素によって、特に当該電気加熱要素によって引き起こし可能な、当該蓄電セルの加熱又は暖房によって、非常に低い周囲温度又は外部温度の場合でも、当該蓄電セルは、十分に高い温度を有することが可能である。その結果、当該蓄電セルは、その中に貯蔵されたエネルギーを非常に良好に提供できる。又はその結果、電気エネルギーが、非常に良好に当該蓄電セル内に貯蔵され得るか又は当該蓄電セル内に蓄電され得る。
【００１１】
蓄電セル、すなわちエネルギー貯蔵装置の必要スペースの全体を非常に小さいフレーム内に確保できるようにし、この場合、それにもかかわらず当該蓄電セルの有益な加熱を省スペースで実現できるようにするため、本発明によれば、セルハウジングが、結合領域を有し、この結合領域内では、加熱要素が、当該セルハウジング内でこのセルハウジングに電気接続されていることが提唱されている。換言すれば、加熱要素が、セルハウジング内の結合領域に電気接続されている。その結果、当該加熱要素は、当該セルハウジング内でこのセルハウジングに電気接続されている。当該加熱要素は、例えば少なくとも１つの端子要素を有する。当該蓄電セルを加熱するため、電気エネルギーが、当該端子要素を介して当該加熱要素に供給され得る。この場合、例えばセルハウジング内で、当該端子要素は、当該結合領域に電気接続されている、すなわち当該セルハウジングに電気接続されている。その結果、当該蓄電セルを加熱するため、電気エネルギーが、当該セルハウジングを介して例えば当該加熱要素に供給され得て、当該加熱要素が稼働され得る。当該加熱要素の端子要素が、当該セルハウジング内で当該結合領域に、すなわち当該セルハウジングに電気接続されているので、当該端子要素又は当該加熱要素が、当該セルハウジングからこのセルハウジングの周囲に引き出される必要があることが回避され得る。その結果、当該蓄電セルの必要スペースが、非常に小さいフレーム内に確保され得る。この場合、電解質が、当該セルハウジングに対して電気絶縁されていると、非常に有益であることが分かっている。このため、電気絶縁体が、例えば当該セルハウジング内に配置されている。当該電解質は、この電気絶縁体によって当該セルハウジングに対して電気絶縁されている。当該電気絶縁体は、例えば当該セルハウジング上に、特に当該電解質又は蓄電手段に面した内周の被覆面上に被覆、特に塗布されている。その結果、当該セルハウジングの当該内周の被覆面が、電気絶縁体を有する。
【００１２】
この場合に設置スペースにとって非常に有益な方式で電気エネルギーを加熱要素に提供できるようにするため、本発明の蓄電セルは、少なくとも１つの結合装置をさらに有する。当該結合装置は、特にセルハウジングの完全に外側に配置されている少なくとも１つの結合要素を含む。当該結合要素は、第１材料から形成され且つ当該セルハウジングの外側で当該セルハウジングに電気接続されている第１結合部を有する。当該結合要素は、当該セルハウジングの特に完全に外側に収容されている。その結果、当該セルハウジングの特に外側に配置された第１結合部が、当該セルハウジングに電気接続されている。したがって、当該第１結合部は、当該セルハウジングの外側で当該セルハウジングに電気接続されている。特に、当該第１結合部が、当該セルハウジングの外側の結合領域内で当該セルハウジングに電気接続されていることが提唱されている。その結果、例えば当該第１結合部は、当該結合領域に電気接続されている、すなわち当該セルハウジングに電気接続されている。こうして、当該セルハウジング内に配置された加熱要素が、当該セルハウジングを介して当該第１結合部に電気接続されている。
【００１３】
さらに、結合要素は、第１結合部に少なくとも電気接続されている第２結合部を有する。当該第２結合部は、当該第１結合部とは違う第２材料から形成されている。当該第１材料は、例えば金属の材料である。代わりに又はさらに、当該第２材料は、金属の材料である。当該セルハウジングは、例えば或る材料から形成されている。この場合、当該材料は、当該第１材料に相当するか、又は、当該第１材料は、当該材料に相当することが提唱され得る。当該第１材料及び／又は当該材料は、例えば軽金属、特にアルミニウムのような金属の材料でもよい。当該第２材料は、例えば銅でもよい。これらの結合部は、互いに電気接続されているので、電気エネルギー又は電流が、これらの結合部のうちの１つの結合部からそれぞれの別の結合部へ流れ得るか、又は、それぞれの別の結合部からこれらの結合部のうちの１つの結合部に流れ得る。このとき、特に、これらの結合部は、互いに機械的に結合されている、すなわち互いに接合して保持されている。その結果、当該結合要素は、例えば結合された又は結合されている構造ユニット又は構成要素である。
【００１４】
設置スペースにとって非常に有益な方式で且つ適切に加熱要素を起動及び停止できるようにするため、結合装置は、特にセルハウジングの外側で第２結合部に電気接続されている少なくとも１つの切替要素をさらに有する。当該切替要素は、特に当該セルハウジングの完全に外側に配置されている。当該第２結合部は、当該切替要素によって蓄電セルの端子に電気接続可能であり且つ当該端子から分離可能である。当該切替要素は、例えば少なくとも１つの接続状態と少なくとも１つの分離状態との間で切り替え可能である。当該接続状態では、当該第２結合部は、当該切替要素を介して当該端子に電気接続されている。その結果、蓄電手段から提供され、特に当該端子に又は当該端子に向かって流れる電気エネルギーが、当該端子から当該切替要素を介して当該第２結合部に伝送され得るか又は伝送される。次いで、当該電気エネルギーは、当該第２結合部から第１結合部に伝送され、この第１結合部から当該セルハウジングを介して当該加熱要素又は当該端子要素に伝送され、次いで加熱要素に伝送される。その結果、当該蓄電手段によって貯蔵され、当該蓄電手段から供給された電気エネルギーが、当該加熱要素に供給され得るか又は供給される。これにより、当該加熱要素が稼働される。これにより、蓄電セルが、当該加熱要素によって加熱される。以上により、当該切替要素の接続状態では、当該第２結合部と当該端子との間の接続が、当該切替要素を介して完了していることが認識可能である。その結果、当該加熱要素と当該端子との間の接続が、当該切替要素を介して完了している。
【００１５】
しかしながら、分離状態では、切替要素が開かれているので、上記の加熱要素と端子との間の電気接続が、切替要素によって遮断されているか又は開かれている。したがって、蓄電手段によって貯蔵された電気エネルギーが、加熱要素に供給されない。その結果、例えば当該分離状態では、当該加熱要素は停止されている。したがって、蓄電セルが、当該加熱要素によって加熱されない。したがって、当該加熱要素は、当該切替要素によって非常に適切に且つ設置スペースにとって非常に有益な方式で停止され得て且つ起動され得る。その結果、当該蓄電セルは、適切に加熱され得る。別の利点は、結合要素が、互いに異なる材料から形成された複数の結合部を有することによって、当該結合要素は、セルハウジングと当該切替要素との双方に少なくとも電気的に、特に機械的に非常に有益に結合され得ることである。特に、当該セルハウジングと第１結合部との簡単な溶接の観点から、第１材料と材料とが互いに適合するように、当該第１材料及び当該材料が選択される。さらに、第２結合部と当該切替要素との簡単な結合、特に溶接の観点から、当該第２結合部が、当該切替要素に適合するように、例えば第２材料が選択され得る。
【００１６】
本発明の蓄電セルは、非常に高い集積度と、短い電流誘導路の実現と、切替要素の非常に良好な熱結合の実現とを可能にする。その結果、例えば当該切替要素の過度な温度上昇が回避され得る。さらに、加熱要素が、例えばセルごとに制御可能である。これは、例えばそれぞれの加熱要素が別の蓄電セルのそれぞれの別の加熱要素から独立して起動又は停止され得ることを意味する。当該それぞれの加熱要素のこのようなそれぞれの制御は、例えば制御チップによって制御される。当該制御チップは、例えば、それぞれの蓄電セルの中心温度を検出でき、特に取得できる。したがって、当該蓄電セルが当該加熱要素によって加熱される正確な加熱時間が、正確に調整され得る、特に制御又は調整され得る。こうして、複数の蓄電セルのいわゆるバランシングが実行可能である。当該複数の蓄電セル間の温度差及び／又は充電の違いが、互いに相殺され得る。その結果、少なくともほぼ均一な温度分布が、エネルギー貯蔵装置内の全体で保証され得る。さらに、当該切替要素は、セル内部の加熱部として構成された加熱要素の非常に良好な制御を可能にする。この場合、切替要素を当該蓄電セル又はセルターミナルとも呼ばれる端子に組み込むことが回避され得る。
【００１７】
必要スペースを非常に小さく確保できるようにするため、結合装置及び端子が、蓄電セル又はセルハウジングの同じ側面上に配置されていることが提唱され得る。
【００１８】
本発明の特に好適な実施の形態の場合、切替要素は、第１方向にセルハウジングに面しない第１結合部の側面上に配置されている。したがって、例えば第１結合部の少なくとも一部が、当該第１方向とは反対の方向に当該切替要素と当該セルハウジングとの間に配置されている。この場合、当該第１結合部の少なくとも１つの部分領域が、当該第１方向に対して傾斜して又は直角に延在する第２方向において当該切替要素よりも大きい。特に、当該第２方向に一致する延在方向に沿った当該第１結合部の少なくとも当該部分領域が、当該切替要素よりも幅広であることが提唱され得る。この場合、当該第１結合部は、当該部分領域内で当該セルハウジングに、特に当該セルハウジングの結合領域に機械的に且つ電気的に結合されている。こうして、当該第１結合部、すなわち当該結合要素の全体が、非常に簡単に、設置スペースにとって有益に、低コストに、機械的に且つ電気的に当該
セルハウジングに結合され得る。
【００１９】
この場合、第１結合部が、部分領域内でセルハウジングに溶接されていて、これにより電気的に且つ機械的に当該セルハウジングに結合されていると、非常に有益であることが分かっている。特に、当該第１結合部は、当該部分領域内で当該セルハウジングの結合領域に溶接され得て、これにより当該セルハウジングの当該結合領域に電気的に且つ機械的に結合され得る。これにより、設置スペースにとって非常に有益に且つ低コストに当該結合要素を当該セルハウジングに機械的に且つ電気的に結合することが保証され得る。
【００２０】
蓄電セル、すなわちエネルギー貯蔵装置の必要スペース及びコストを非常に小さく確保できるようにするため、本発明の別の構成では、第１結合部が、側面からセルハウジングに、特に結合領域に溶接されていることが提唱されている。当該側面は、例えば当該蓄電セルの設置位置では自動車の垂直方向に上方に向いている。この場合、自動車の完成された状態では、当該蓄電セルは、当該蓄電セルは、その設置位置を占有する。こうして、当該第１結合部、すなわち当該結合要素を自動車の垂直方向に上向きに、非常に簡単に且つ低コストに当該セルハウジングに溶接することが可能である。
【００２１】
別の実施の形態は、当該結合装置は、第２結合要素を有し、この第２結合要素は、第３材料から形成され且つ当該切替要素に電気接続されている１つの第３結合部と、この第３結合部に電気接続されていて且つ当該第３材料とは異なる第４材料から形成され、当該セルハウジングの外側で当該端子に電気接続されている第４結合部とを有することを特徴とする。特に、第２結合部は、当該セルハウジングの完全に外側に配置されている。当該第４結合部は、当該セルハウジングの外側で端子に電気接続されている。特に、当該第３結合部と当該第４結合部とは、互いに機械的に結合されていて、これにより互いに接して保持されている。その結果、特に第２結合要素も、結合された又は連続する簡単に取り扱い可能な構造ユニットである。さらに、特に、第４結合部が、端子に機械的に結合されていて、及び／又は、第４結合部が、切替要素に機械的に結合されていることが提唱されている。さらに、特に、第２結合部が、切替要素に機械的に結合されていることが提唱されている。当該第２接続要素を使用することで、セルハウジングの外側での、当該切替要素と当該端子との設置スペースにとって非常に有益で且つ非常に簡単な電気接続が保証され得る。これにより、特に、簡単な電気結合及び／又は機械結合及び／又は固着結合、特にはんだ付け及び／又は溶接の観点から、当該第３材料が、当該切替要素に適合されていることが可能である。さらに、簡単な溶接の観点から、当該第４材料が、当該端子に適合されているように、当該第４材料が選択され得る。その結果、当該結合要素は、非常に簡単に且つ設置スペースにとって有益に少なくとも電気的に、特にさらに機械的に、当該切替要素と当該端子との双方に結合され得る。
【００２２】
第３材料は、銅でもよい。代わりに又はさらに、第４材料は、例えばアルミニウムのような軽金属でもよい。特に、当該第３材料は、金属の材料であることが可能である。代わりに又はさらに、当該第４材料は、金属の材料である。それぞれの第１材料、第２材料、第３材料及び第４材料は、特に導電性の材料又は導電可能な材料である。
【００２３】
必要スペース及びコストを非常に小さいフレーム内に確保できるようにするため、本発明の別の構成では、第１材料が、第４材料に相当することが提唱されている。
【００２４】
別の実施の形態は、第２材料が、第３材料に相当することを特徴とする。これにより、コスト及び必要スペースが、非常に小さいフレーム内に確保され得る。
【００２５】
本発明の別の構成では、切替要素は、特に曲がりにくいプリント回路基板を有する。当該プリント回路基板は、特に変形しなく又は剛性である。当該切替要素の少なくとも１つのスイッチが、当該プリント回路基板上に配置されている。この場合、当該スイッチは、当該プリント回路基板に電気接続されている。特に、当該スイッチは、当該プリント回路基板に保持されている。当該スイッチは、例えば接続状態と分離状態との間で切り替え、特に移動され得る。特に、当該スイッチは、ＭＯＳＦＥＴとして構成されている。その結果、当該スイッチは、非常に有益に且つ適切に開閉され得る。この場合、当該プリント回路基板は、特にセルハウジングの外側で第２結合部に電気接続されている。これにより、電力が、当該プリント回路基板と当該第２結合部との間で非常に有益に伝送され得る。その結果、電力が、端子から当該プリント回路基板を介して加熱要素に非常に有益に伝送され得る。この場合、当該第２結合部は、電気的に、特にさらに機械的に当該プリント回路基板に結合されている。この場合、特に当該第２結合部は、当該プリント回路基板に固着結合されている、特にはんだ付けされている。
【００２６】
別の実施の形態は、プリント回路基板は、特にセルハウジングの外側で第３結合部に電気接続されていることを特徴とする。これにより、非常に有益な電力の伝送が保証され得る。特に、当該第３結合部は、電気的に、特に機械的に当該プリント回路基板に結合されている。この場合、当該第３結合部は、当該プリント回路基板にはんだ付けされ得る。
【００２７】
エネルギー貯蔵装置の全体の構造を設置スペースにとって非常に有益に且つ低コストに実現できるようにするため、本発明の別の構成では、蓄電セルが、弾性変形可能で、少なくとも電気的に、特にさらに機械的にプリント回路基板に結合されている少なくとも１つの導電体を有することが提唱されている。当該プリント回路基板は、当該導電体を介して少なくとも１つの別の構成要素に電気接続可能である。この場合、当該プリント回路基板は、当該導電体よりも剛性であるか又は曲がりにくい。これは、当該導電体が当該導電体に作用する力によって弾性変形可能であることを意味する。この場合、この力は、依然として当該プリント回路基板を変形させない、特に弾性変形させない。当該プリント回路基板は、当該導電体よりも遥かに剛性であるか又は曲がりにくく、当該導電体に比べて弾性変形され得ないので、当該プリント回路基板と当該導電体とは、いわゆるリジッドフレキシブル基板を形成する。当該導電体は、当該プリント回路基板に比べて遥かに容易に又は遥かに小さい力で弾性変形され得る。その結果、当該導電体は、当該プリント回路基板と当該構成要素との間の非常に有益な結合を可能にする。例えばエネルギー貯蔵装置の稼働中に、熱による複数の相対移動が、当該プリント回路基板と当該構成要素との間で発生すると、当該導電体は、これらの相対移動によって弾性に、すなわち破壊なしに変形され得る。その結果、当該導電体は、これらの相対移動を一緒に実行するか又は可能にする。その結果、当該構成要素と当該プリント回路基板とは、これらの相対移動中でも、当該導電体を介して互いに電気接続を維持する。
【００２８】
別の構成要素は、エネルギー貯蔵装置の別の蓄電セルの切替要素のプリント回路基板である。その結果、閉ループ制御される状態で、電気エネルギーを当該構成要素に接続されているエネルギー貯蔵装置から加熱要素に供給するため、例えば、電気エネルギーが、導電体を介して当該別の蓄電セルの加熱要素に非常に有益に供給され得る、及び／又は、当該別の構成要素のプリント回路基板又は切替要素が制御され得る。
【００２９】
例えば、少なくとも１つの空間方向に沿って延在する間隔が、構成要素とプリント回路基板との間に設けられているように、当該構成要素は、当該プリント回路基板から離間して配置されている。この場合、導電体は、特に当該間隔よりも大きい長さを有する。その結果、当該導電体が弾性変形されることによって、当該導電体は、破壊なしに、例えば当該間隔の熱による複数の変化を一緒に実行できる。このため、当該導電体は、例えば少なくとも長手領域内にジグザグ形及び／又は波形の延在部を有する。当該延在部は、当該間隔の拡大時に伸ばされるか又は偏向され、当該間隔の縮小時に圧縮される。これにより、当該構成要素と当該プリント回路基板とが、互いに電気接続を維持される一方で、当該構成要素と当該プリント回路基板とは、例えば熱に起因して互いに相対移動する。
【００３０】
本発明の第２の観点は、自動車用のエネルギー貯蔵装置に関する。本発明のエネルギー貯蔵装置は、本発明の少なくとも１つのエネルギー貯蔵装置又は特に互いに電気接続されている本発明の複数の蓄電セルを有する。本発明の第１の観点の利点及び好適な構成は、本発明の第２の観点の利点及び好適な構成とみなされ、本発明の第２の観点の利点及び好適な構成は、本発明の第１の観点の利点及び好適な構成とみなされる。
【００３１】
以下に、本発明のさらなる詳細を添付図面による好適な実施の形態から説明する。
【図面の簡単な説明】
【００３２】
【図１】自動車のエネルギー貯蔵装置用に電気エネルギーを貯蔵するための本発明の蓄電セルの概略分解図である。
【図２】蓄電セルの一部の概略側面図である。
【図３】蓄電セルの概略正面図である。
【図４】蓄電セルの結合装置の概略正面図である。
【図５】それぞれの蓄電セルの結合装置の概略正面図である。
【発明を実施するための形態】
【００３３】
図面には、同じ要素又は機能的に同じ要素は、同じ符号を付記されている。
【００３４】
図１は、自動車、例えば乗用自動車として構成された特に自動車のエネルギー貯蔵用の蓄電セル１を概略分解図で示す。当該自動車は、完成された状態では少なくとも１つの電気機械を有する。当該自動車は、当該電気機器によって電気駆動され得る。当該自動車の電気駆動のため、エネルギー貯蔵装置内に貯蔵されている電気エネルギー又は電力が、当該電気機械に供給される。この場合、当該エネルギー貯蔵装置は、例えば複数の蓄電セルを有する。これらの蓄電セルは、蓄電セル１のように構成されている。すなわち、蓄電セル１は、当該エネルギー貯蔵装置のこれらの蓄電セルのうちの１つの蓄電セルである。当該エネルギー貯蔵装置のこれらの蓄電セルは、互いに電気接続されている。その結果、非常に大きい電力を自動車の電気駆動のために実現できるように、当該エネルギー貯蔵装置は、非常に大きい電圧、特に電気駆動電圧を提供できる。特に、当該エネルギー貯蔵装置の電圧は、数百ボルトである。
【００３５】
蓄電セル１は、簡単にハウジングとも呼ばれるセルハウジング２を有する。セルハウジング２は、カンとも呼ばれる第１ハウジング部材３と、キャップとも呼ばれる第２ハウジング部材４とを有する。ハウジング部材３及び４は、例えば、互いに別々に形成され且つ互いに結合されている部品である。ハウジング部材４は、蓋とも呼ばれる。セルハウジング２が、完全に製造された状態では、セルハウジング２は、収容室５を形成する。図１では非常に概略的に示された蓄電手段６が、電気エネルギーを貯蔵するために収容室５内に収容されている。蓄電手段６は、例えば、液状の電解質で少なくとも部分的に浸漬されている、異なる電極の少なくとも複数の電極又は丁度２つの電極と、特に当該液状の電解質とを有する。さらに、蓄電手段６は、これらの電極間に配置されているセパレータを有し得る。これにより、これらの電極は、当該セパレータによって互いに電気絶縁されている。これらの電極のうちの第１電極は、例えば陽極である。この場合、第２電極は、陰極である。
【００３６】
さらに、蓄電セル１は、ターミナルとも呼ばれ、少なくとも部分的にセルハウジング２の外側に配置されている端子７及び端子８を有する。この場合、端子７及び端子８は、ハウジング部材４に保持されていて、例えばセルハウジング２から電気絶縁されている。例えば、陽極が、セルハウジング２内で端子７に電気接続されている一方で、陰極は、セルハウジング２内で端子８に電気接続されている。したがって、例えば、端子７は、蓄電セル１のプラス電極を形成する一方で、端子８は、蓄電セル１のマイナス電極を形成する。蓄電手段６は、この蓄電手段６によって貯蔵された電気エネルギーを端子７及び端子８を介して提供できる。これにより、蓄電手段６によって貯蔵された電気エネルギーが、例えば電気機械に供給され得る。
【００３７】
さらに、蓄電セル１は、収容室５内に、したがってセルハウジング２内に配置された電気加熱要素９を有する。蓄電セル１は、電気エネルギーを使用して電気加熱要素９によって加熱、すなわち暖房され得る。複数の電気加熱要素９が、セルハウジング２内配置され得ることが、図１から認識可能である。さらに、破断隔膜１０が、ハウジング部材４に設けられている。例えば発熱による事故時に、収容室５が、破断隔膜１０によって適切に排気され得る。これにより、蓄電セル１の制御できない爆発が確実に回避され得る。当該蓄電セル１の例では、エネルギー貯蔵装置の複数の蓄電セル１がそれぞれ、電気加熱要素９のような少なくとも１つの電気加熱要素を有し得ることが認識可能である。
【００３８】
蓄電セル１、すなわちエネルギー貯蔵装置の必要スペースの全体を非常に小さいフレーム内に確保できるようにするため、セルハウジング２、特にハウジング部材４は、結合領域Ｖを有する。加熱要素９は、セルハウジング２内でこのセルハウジング２の結合領域Ｖに結合されている。このため、例えば、加熱要素９は、接続要素１１を有する。接続要素１１は、少なくとも電気的に、そして特に機械的に結合領域Ｖ、すなわちセルハウジング２に結合されている。これにより、例えば、電気エネルギーが、セルハウジング２を介して接続要素１１に供給され得る。したがって、当該電気エネルギーは、セルハウジング２を介して、接続要素１１を経由して加熱要素９に供給され得る。加熱要素９は、この加熱要素９に供給されたこの電気エネルギーによって稼働され得る。その結果、蓄電セル１が、加熱要素９に供給された当該電気エネルギーによって加熱され得る。電気エネルギーが、電気加熱要素９に供給されると、電気加熱要素９が起動される。結果として、蓄電セル１が、電気加熱要素９によって加熱される。電気エネルギーが、加熱要素９に供給されないと、加熱要素９が停止される。その結果、加熱要素９によって引き起こされる蓄電セル１の加熱が停止する。
【００３９】
例えば、接続要素１１が、結合領域Ｖ、すなわちセルハウジング２に溶接されている。これにより、接続要素１１と加熱要素９とが、電気的に、そして特に機械的にセルハウジング２、特にハウジング部材４に結合されている。
【００４０】
さらに、蓄電セル１は、少なくとも１つ又は特に丁度１つの結合装置１２を有する。結合装置１２は、特に完全にセルハウジング２の外側に配置されていて、したがってこのセルハウジング２の周囲１３に配置されている。結合装置１２は、第１結合要素１４を有する。この第１結合要素１４は、第１材料から形成され且つセルハウジング２の外側でこのセルハウジング２に電気接続されている第１結合部１５と、この第１結合部１５に電気接続されていて且つ機械接続されていて且つ当該第１材料とは異なる第２材料から形成された第２結合部１６とを有する。図示された実施の形態の場合、当該第１材料は、アルミニウムである一方で、当該第２材料は、銅である。さらに、結合装置１２は、第２結合部１６に電気接続されている、特に機械接続もされている少なくとも１つの切替要素１７又は丁度１つの切替要素１７を有する。切替要素１７を使用することで、第２結合部１６と加熱要素９とが、端子７に電気接続可能であり、端子７から分離可能である。結合部１５が、結合領域Ｖに電気接続されているか又はセルハウジング２に電気接続されているので、結合部１５と結合要素１４とが、全体としてセルハウジング２を介して接続要素１１と加熱要素９とに電気接続されている。
【００４１】
さらに、結合装置１２は、第２結合要素１８を有する。この第２結合要素１８は、第３材料から形成され且つ切替要素１７に電気接続されている、特に機械接続もされている第３結合部１９と、この第３結合部１９に電気接続されていて、特に機械接続もされていて、当該第３材料とは異なる第４材料から形成され、セルハウジング２の外側で端子７に電気接続されている第４結合部２０とを有する。特に第３材料は銅であり、特に第４材料はアルミニウムである。
【００４２】
さらに、結合部１５は、セルハウジング２、特にハウジング部材４に機械接続されている。特に、結合部２０は、端子７に機械接続されている。以上により、蓄電手段６によって貯蔵され、端子７を介してこの蓄電手段６から提供される電気エネルギーが、セルハウジング２と結合要素１４と切替要素１７と結合要素１８とを経由して接続要素１１と加熱要素９とに供給され、当該接続要素１１と加熱要素９とが、当該電気エネルギー１１によって稼働され得ることが認識可能である。この場合、結合要素１４は、湾曲されている又はアーチ形の移行領域ＵＢを有する。その結果、結合部１５と結合部１６とは、図２中に二重矢印２１によって示された方向に沿って少なくとも部分的に重なる。したがって、結合部１５は、二重矢印２１によって示された方向に沿ってセルハウジング２と結合部１６との間に配置されている。
【００４３】
さらに、切替要素１７及び結合部１６は、セルハウジング２に面しない第１結合部１５の側面Ｓ上に矢印２２によって示された第１方向に配置されていることが提唱されている。図３から認識可能であるように、図３に二重矢印２３によって示され且つ矢印２２によって示された第１方向に対してほぼ直角に延在する第２方向に沿った第１結合部１５の少なくとも１つの部分領域Ｔが、切替要素１７よりも幅広であり且つ結合部１６よりも幅広である。このため、少なくとも部分領域Ｔは、当該第１方向に対して直角に延在し且つ図３に矢印２４によって示された第３方向と、当該第１方向に対して直角に延在し且つ図３に矢印２５によって示された当該第３方向とは反対である第４方向とにおいて切替要素１７及び結合部１６よりも大きい。この場合、部分領域Ｔ内の第１結合部１５は、セルハウジング２、特に結合領域Ｖに機械的に且つ電気的に結合されている。換言すれば、部分領域Ｔが、側面Ｓからセルハウジング２に簡単に溶接され得て、これにより電気的に且つ機械的にセルハウジング２に結合され得るように、この部分領域Ｔは、矢印２２によって示された第１方向に切替要素１７及び結合部１６に面しないように配置されている。これに関しては、それぞれの溶接継目２６及び２７が、図３に示されている。結合部１５が、これらの溶接継目２６及び２７に沿ってセルハウジング２に溶接されている。
【００４４】
切替要素１７が、プリント回路基板２８を有することが、図４及び５から非常に良好に認識可能である。プリント回路基板２８に電気接続されていて、例えばＭＯＳＦＥＴとして構成された切替要素１７の２つのスイッチ２９及び３０が、このプリント回路基板２８上に配置されている。この場合、スイッチ２９及び３０は、プリント回路基板２８に保持されている。少なくとも１つのフォトカプラ３１又は丁度１つのフォトカプラ３１が、それぞれのスイッチ２９又は３０に割り当てられている。当該割り当てられたそれぞれのスイッチ２９又は３０は、そのフォトカプラ３１によって切り替えられ得る。フォトカプラ３１も、プリント回路基板２８に保持されている。この場合、プリント回路基板２８は、少なくとも電気的に、特に機械的に結合部１６及び１９に結合されている。
【００４５】
さらに、蓄電セル１は、弾性変形可能で且つプリント回路基板２８に電気接続されている少なくとも１つの導電体３２を有する。当該導電体３２は、プリント回路基板２８よりもフレキシブルである。換言すれば、プリント回路基板２８は、導電体３２よりも曲がりにくく形成されている。プリント回路基板２８は、導電体３２を介してエネルギー貯蔵装置の少なくとも１つの別の部品に電気接続可能であるか又は接続されている。これらの別の部品は、−図４及び５から認識可能であるように−当該エネルギー貯蔵装置の複数の蓄電セルのうちの別の１つの蓄電セルの１つの切替要素の少なくとも１つのプリント回路基板である。その結果、例えば、当該エネルギー貯蔵装置の複数の蓄電セルの複数の切替要素の複数のプリント回路基板が、導電体３２を介して非常に有益に互いに電気接続され得る。例えば、熱に起因した相対移動が、これらの蓄電セル間で発生すると、これらの蓄電セル間の間隔が変化する。導電体３２が、当該相対移動によって弾性に、すなわち破損なしに変形されることによって、当該弾性に変形可能な導電体３２は、導電性を伴って当該相対移動を実行できる。これにより、これらの蓄電セルの複数のプリント回路基板は、これらの蓄電セルの相対移動にもかかわらず導電体３２を介して少なくとも電気的に互いに接続され続け得る。
【００４６】
側面Ｓは、例えば蓄電セル１を自動車の直立方向に取り付けた姿勢では上方に向いている。その結果、結合部１５が、切替要素１７よりも幅広であることによって、結合部１５は、上から簡単にセルハウジング２に溶接され得る。
【００４７】
エネルギー貯蔵装置の完成された状態では、複数の蓄電セルが、特にこれらの蓄電セルの端子を介して互いに電気接続されている。このため、電池接触システムとも呼ばれる電池接続システム（ＺＫＳ）が設けられている。これらの蓄電セルが、この電池接続システムを介して互いに電気接続されている。特に、それぞれの蓄電セルのそれぞれの端子が、当該電池接続システムを介して互いに電気接続されている。この場合、それぞれの結合装置１２が、二重矢印２１によって示された方向に沿って当該電池接続システムの下側に、すなわち当該電池接続システムとそれぞれのセルハウジング２との間に配置されている。換言すれば、それぞれの結合装置１２は、当該電池接続システムに埋設され得る。その結果、結合装置１２は、当該電池接続システムを損傷させず、又は当該電池接続システムの取り付けを妨害しない。したがって、当該エネルギー貯蔵装置は、オプションとして結合装置１２を備え得るか、又は、結合装置１２は、簡単に省略され得る。両場合で、電池接続システムは、同様に取り付けされ得る。
【符号の説明】
【００４８】
１      蓄電セル
２      セルハウジング
３      ハウジング部材
４      ハウジング部材
５      収容室
６      蓄電手段
７      端子
８      端子
９      加熱要素
１０    破断隔膜
１１    接続要素
１２    結合装置
１３    周囲
１４    結合要素
１５    第１結合部
１６    第２結合部
１７    切替要素
１８    第２結合要素
１９    第３結合部
２０    第４結合部
２１    二重矢印
２２    矢印
２３    二重矢印
２４    矢印
２５    矢印
２６    溶接継目
２７    溶接継目
２８    プリント回路基板
２９    スイッチ
３０    スイッチ
３１    フォトカプラ
３２    導電体
Ｓ      側面
Ｔ      部分領域
ＵＢ    移行領域
Ｖ      結合領域
【図１】
2021528828.tif 000003
【図２】
2021528828.tif 000004
【図３】
2021528828.tif 000005
【図４】
2021528828.tif 000006
【図５】
2021528828.tif 000007
【国際調査報告】
2021528828.tif 000008
2021528828.tif 000009
2021528828.tif 000010
2021528828.tif 000011